(57)【要約】【課題】顔面のしわを一時的に伸ばして目立たないようにする。【解決手段】グリップ１０を有する本体部１に、顔面へ選択的に接触させて美顔処理を行うための一対の接触面３Ａ，３Ｂが設けられている。まず、第１の接触面３Ａを顔面に接触させる。このとき第１の接触面３Ａは設定時間だけ陰電位に設定され、その後、第１の接触面３Ａに設定時間だけ温熱が作用する。次に、第２の接触面３Ｂを顔面に接触させる。このとき第２の接触面３Ｂは設定時間だけ冷却される。各設定時間が経過する度に音による報知が行われる。【選択図】  図１
2004267370.tif 000002
【特許請求の範囲】
【請求項１】
グリップを有する本体部に、顔面へ選択的に接触させて美顔処理を行うための一対の接触面が設けられて成る美顔器において、第１の接触面を陰電位に設定する陰電位設定手段と、第１の接触面に温熱を作用させる温熱発生手段と、第２の接触面を冷却する冷却手段と、音を発生させて報知する報知手段と、陰電位設定手段、温熱発生手段、冷却手段、および報知手段の各動作を制御する制御手段とを備え、前記制御部は、陰電位発生手段と温熱発生手段と冷却手段とを設定時間づつ順次動作させて美顔処理を実行するとともに、前記設定時間が経過する度に前記報知手段を動作させるようにした美顔器。
【請求項２】
前記温熱発生手段は、ＰＴＣヒーターにより構成される請求項１に記載された美顔器。
【請求項３】
前記冷却手段は、温熱発生手段の動作中に動作を開始して第２の接触面を予冷する請求項１に記載された美顔器。
【請求項４】
前記冷却手段は、ペルチェ素子と、ペルチェ素子の放熱面に接続された放熱フィンと、放熱フィンへ送風して放熱させる冷却ファンとを含んでおり、前記冷却ファンは、ペルチェ素子への通電と同時に動作を開始し、ペルチェ素子への通電を遮断した後の一定期間だけ動作を継続する請求項１に記載された美顔器。
【発明の詳細な説明】
【０００１】
【産業上の利用分野】
この発明は、顔面に温熱などの物理的な作用を及ぼして美顔効果を得る美顔器に関し、特にこの発明は、顔面のしわを一時的に伸ばして目立たないようにする機能をもつ美顔器に関する。
【０００２】
【従来の技術】
従来、美顔器として、例えば蒸気を発生させて顔面に作用させるものが提案されている。この種の美顔器は、水を蓄えるタンクや容器を必要とするために器具が大型化し、また、蒸気を発生させるために内部構造が複雑となる。しかも、使用前には水の補給が、使用後には水の廃棄が、それぞれ必要であり、準備や後片づけに手数がかかるという問題もある。
【０００３】
そこで、蒸気を用いずに顔面に温熱を作用させる美顔器が提案された（例えば、特許文献参照）。この美顔器は、手持ち操作のためのグリップを有する本体部に、顔面へ選択的に接触させて美顔処理を行うための一対の接触面が設けられたものである。一方の接触面はヒータによって加温され、他方の接触面はペルチェ素子によって冷却される。加温された接触面と冷却された接触面とを交互に顔面に接触させ、これによって温冷による温度差を肌に作用させて肌を活性化する。
【０００４】
【特許文献】
特開昭６３−２５７５５６号公報
【０００５】
【発明が解決しようとする課題】
しかしながら、上記した美顔器は、温度差を利用して肌を活性化することを狙ったものであり、顔面のしわを伸ばすという美顔効果は期待できない。また、加温された接触面と冷却された接触面とを交互に顔面に接触させるのに、それぞれの接触時間は使用者が任意に決めるため、美顔効果にばらつきが生じ、過度の加温や冷却によって肌を損傷するおそれもある。
【０００６】
この発明は、上記問題に着目してなされたもので、顔面のしわを一時的に伸ばして目立たないようにすることが可能であり、しかも、美顔効果にばらつきを生じさせず、肌の損傷を防止できる美顔器を提供することを目的とする。
【０００７】
【課題を解決するための手段】
この発明による美顔器は、グリップを有する本体部に、顔面へ選択的に接触させて美顔処理を行うための一対の接触面が設けられたものであり、第１の接触面を陰電位に設定する陰電位設定手段と、第１の接触面に温熱を作用させる温熱発生手段と、第２の接触面を冷却する冷却手段と、音を発生させて報知する報知手段と、陰電位設定手段、温熱発生手段、冷却手段、および報知手段の各動作を制御する制御手段とを備えている。前記制御部は、陰電位発生手段と温熱発生手段と冷却手段とを設定時間づつ順次動作させて美顔処理を実行するとともに、前記設定時間が経過する度に前記報知手段を動作させるようにする。
【０００８】
この発明の上記した構成において、「一対の接触面」は熱伝導が良好な材料をもって構成され、横並びに配置してもよく、また反対向きに配置してもよい。
また、「報知手段」は、聴覚に訴えて報知するものであり、ブザー音、旋律のある音、音声などを発生させる。ここで聴覚に訴えて報知するのは、美顔処理中に本体部を顔面に近づけていても、報知がわかるようにするためである。
さらに、「制御部」は、プログラムされたコンピュータによって実現できるが、専用のハードウェア回路によっても実現できる。
【０００９】
前記温熱発生手段は、低温火傷を防止する観点から、好ましくはＰＴＣヒーターをもって構成するが、必ずしもそれに限られるものではない。
【００１０】
また、前記冷却手段は、例えばペルチェ素子により構成されるもので、好ましくは温熱発生手段の動作中に動作を開始して第２の接触面を予冷する。この予冷によって、温熱発生手段が動作を終了したときには冷却手段が十分に冷却されているので、加温された肌を急激に冷却することができ、この急冷によって美顔効果を実効あるものとなす。
【００１１】
この発明の好ましい実施態様においては、前記冷却手段は、ペルチェ素子と、ペルチェ素子の放熱面に接続された放熱フィンと、放熱フィンへ送風して放熱させる冷却ファンとを含んでおり、前記冷却ファンは、ペルチェ素子への通電と同時に動作を開始し、ペルチェ素子への通電を遮断した後の一定期間だけ動作を継続する。このようにすれば、ペルチェ素子の劣化を遅らせることができる。
【００１２】
【作用】
美顔処理に際して、本体部のグリップを手に持ち、第１の接触面を顔面に接触させる。まず陰電位設定手段によって第１の接触面を陰電位に設定するので、細胞が活性化されて皮膚の表面が柔軟になる。設定時間が経過すると、陰電位設定手段の動作を停止させ、温熱発生手段を動作させるので、第１の接触面は加温される。第１の接触面は顔面に接触させたままであり、活性化された肌は温熱によって血行が促進されて新陳代謝が高められ、皮膚が引き伸ばされる。設定時間の経過時、音による報知が行われるので、陰電位による美顔処理から温熱による美顔処理へ移行したことがわかる。
【００１３】
設定時間が経過すると、温熱発生手段の動作を停止させ、第１の接触面を自然冷却させる。一方、冷却手段を動作させて第２の接触面を強制的に冷却させる。設定時間の経過時、音による報知が行われるので、温熱による美顔処理から冷却による美顔処理へ移行するように教示される。そこで、冷却された第２の接触面を顔面に接触させると、肌が引き締められて皮膚表面の引き伸ばされた状態が記憶され、その結果、顔面のしわが一時的に伸びて目立たなくなる。
設定時間が経過すると、冷却手段の動作が停止するが、設定時間の経過時、音による報知が行われるので、美顔処理が終了したことがわかる。
【００１４】
【発明の実施の形態】
図１は、この発明の一実施例である美顔器の構成を示している。
図示例の美顔器は、手持ち操作のためのグリップ１０を有する本体部１と、この本体部１の基端部より引き出されたコード線１１によって接続されたプラグ２とから成る。プラグ２は電源コンセントへの抜き差しが可能な構成になっている。本体部１の内部には、図２に示すように、後述する制御部８や陰電位発生回路６が実装される主基板９が、また、プラグ２の内部には電源回路が実装される電源基板２１が、それぞれ組み込まれている。
【００１５】
前記本体部１は、先端部が二股状に突き出ており、一方の突出部１Ａの先端面には第１の接触面３Ａが、他方の突出部１Ｂの先端面には第２の接触面３Ｂが、それぞれ設けられている。各接触面３Ａ，３Ｂは顔面へ選択的に接触させるためのもので、これによって陰電位、温熱、および冷却による美顔処理が行われる。
【００１６】
この実施例では、「オートモード」「電位美容モード」「温熱美容モード」「冷却美容モード」「温冷美容モード」の５個の動作モードのうち、そのいずれかを選択して設定することが可能となっている。
「オートモード」は、陰電位による美顔処理、温熱による美顔処理、および冷却による美顔処理をそれぞれ設定時間ずつ順次実行するモードである。この実施例では、陰電位による美顔処理と温熱による美顔処理については３分の設定時間が、また、冷却による美顔処理については２分の設定時間が、それぞれ設定されている。
【００１７】
なお、「電位美容モード」は陰電位による美顔処理のみを設定時間（３分）だけ実行するモードであり、第１の接触面３Ａのみが用いられる。「温熱美容モード」は温熱による美顔処理のみを設定時間（３分）だけ実行するモードであり、第１の接触面３Ａのみが用いられる。「冷却美容モード」は冷却による美顔処理のみを設定時間（２分）だけ実行するモードであり、第２の接触面３Ｂのみが用いられる。
「温冷美容モード」は温熱による美顔処理と冷却による美顔処理とを設定時間（２分）だけ実行するモードであり、第１の接触面３Ａと第２の接触面３Ｂとが交互に用いられる。
【００１８】
前記本体部１の表面には、モード設定などを行うための操作盤４が設けてある。この操作盤４には、美顔処理の開始と美顔処理の中止とを行うための始動／停止スイッチ４０と、温熱による美顔処理についての温度を３段階（この実施例では「高」が４５℃、「中」が４２℃、「低」が３８℃）に設定するためのレベル設定スイッチ４１と、上記した５個の動作モードを選択するためのモード選択スイッチ４２とが設けられている。
また、この操作盤４には、「高」「中」「低」の３段階の設定温度を表示するためのレベル表示ランプ４３〜４５と、「陰電位」「温熱」「冷却」の３種類の美顔処理を示すモード表示ランプ４６〜４８とが配置してある。
【００１９】
電源投入時は、温度が「高」のオートモードに設定され、「高」のレベル表示ランプ４３が点灯しかつ３個のモード表示ランプ４６〜４８が同時点灯する。温度設定を行う場合にレベル設定スイッチ４１を繰り返し押すと、押す度に設定温度が順に切り替わってレベル表示ランプ４３〜４５が順次点灯する。また、モード設定する場合にモード選択スイッチ４２を繰り返し押すと、押す度に動作モードが順に切り替わり、該当する美顔処理を含むモード表示ランプ４６〜４８が点灯する。
【００２０】
本体部１には、グリップ１０の部分を除く適所に多数の通気孔１２が形成されている。特に、第２の接触面３Ｂが設けられた突出部１Ｂには、多数の通気孔１２が集中して形成されており、これにより後述するペルチェ素子７の放熱を促進している。
【００２１】
前記本体部１の各突出部１Ａ，１Ｂは、図２に示すように、先端が開放されており、一方の開放部分に熱伝導が良好なＡＢＳ樹脂などのキャップ３０Ａを被せることにより第１の接触面３Ａが、他方の開放部分にステンレスなどの金属製のキャップ３０Ｂを被せることにより第２の接触面３Ｂが、それぞれ形成されている。
【００２２】
前記キャップ３０Ａの内側には、図３に示すように、第１の接触面３Ａに温熱を作用させるＰＴＣ（Ｐｏｓｉｔｉｖｅ  Ｔｅｍｐｅｒａｔｕｒｅ  Ｃｏｅｆｆｉｃｉｅｎｔ）ヒーター５と、第１の接触面３Ａに負の所定の電位（この実施例では、−２０００ボルト）を設定する電位出力パッド６０と、前記温熱が本体１内へ作用するのを阻止するための断熱材５０とが重ねて配置されるとともに、サーミスタより成るヒーター用温度センサ５１がＰＴＣヒーター５に接触させるようにして配置されている。
【００２３】
前記ＰＴＣヒーター５は、セラミック半導体を主成分とするもので、温度上昇に比例して抵抗値が上昇する性質を有している。このＰＴＣヒーター５の抵抗値が上昇すると、電流が減少して発熱量が減少するので、温度が一定に保持される。前記温度センサ５１は、第１の接触面３Ａを設定温度に保持するために、ＰＴＣヒーター５の温度を監視するためのものである。
【００２４】
この実施例のようにヒーターとしてＰＴＣヒーター５を用いると、例えばニクロム線ヒーターを用いるのと比較して低温火傷の発生を防止できる。
図４は、第１の接触面３ＡにＰＴＣヒーターにより温熱を作用させる場合の温度特性（図中、一点鎖線で示す。）と第１の接触面３Ａにニクロム線ヒーターにより温熱を作用させる場合の温度特性（図中、実線で示す。）とを示している。
同図において、ｔは第１の接触面３Ａを顔面に接触させた時点を示しており、ニクロム線ヒーターの場合はこの接触によって温度がわずかに下がるものの直ぐに復帰して設定温度を維持するのに対し、ＰＴＣヒーターの場合はこの接触によって温度がかなり下がった後、温度の上下動を繰り返しつつ時間をかけて復帰動作するもので、このような特性により低温火傷の発生を防止する。
【００２５】
前記電位出力パット６０には陰電位発生回路６（図５に示す。）で発生させた負の所定の電位が印加される。前記陰電位発生回路６は、本体部１の内部に設けられた主基板９に実装されており、陰電位発生回路６と電位パット６０とは導線９０により電気接続されている。なお、図２，３において、９１はＰＴＣヒーター５と主基板９とを結ぶ導線、９２は温度センサ５１と主基板９とを結ぶ導線であり、陰電位発生回路６、ＰＴＣヒーター５、および温度センサ５１は、主基板９に実装されたマイクロコンピュータより成る制御部８に接続されている。
【００２６】
図２に戻って、前記キャップ３０Ｂの内側には、第２の接触面３Ｂを冷却するペルチェ素子７が配置されている。このペルチェ素子７はその冷却面をキャップ３０Ｂの内面に接触させ、放熱面には放熱フィン７０が接続されている。さらに、キャップ３０Ｂの内側には、サーミスタより成るペルチェ素子用温度センサ７２および放熱フィン用温度センサ７３がキャップ３０Ｂおよび放熱フィン７０にそれぞれ接触させるようにして配置されるとともに、放熱フィン７０に対向させて冷却ファン７１が配置されている。
【００２７】
ペルチェ素子用温度センサ７２は、第２の接触面３Ｂを設定温度に保持するために、ペルチェ素子７の温度を監視する。また、放熱フィン用温度センサ７３は、放熱フィン７０を所定の温度に保持するために、放熱フィン７０の温度を監視する。冷却ファン７１は放熱フィン７０へ送風して放熱させるものである。
なお、図２において、９３はペルチェ素子７と主基板９とを結ぶ導線、９４，９５は各温度センサ７２，７３と主基板９とをそれぞれ結ぶ導線であり、ペルチェ素子７および各温度センサ７２，７３は主基板９上の制御部８に接続されている。
【００２８】
前記主基板９には、音を発生させて報知するための発音回路１００およびスピーカー１０１が実装されている。前記発音回路１００は、始動／停止スイッチ４０、レベル設定スイッチ４１、およびモード選択スイッチ４２が押されたときにはスピーカー１０１より「ピー」というブザー音を発生させる。また、「オートモード」などの動作モードで動作しているとき、陰電位による美顔処理、温熱による美顔処理、および冷却による美顔処理のそれぞれの設定時間が経過したときには所定の旋律の音を発生させる。
【００２９】
図５は、上記した構成の美顔器の動作を制御するための制御部８の構成と制御部８に電気接続された入出力各部とを示している。
図示例の制御部８は、マイクロコンピュータにより構成されており、制御の主体であるＣＰＵ８０と、プログラムや固定データが格納されるＲＯＭ８１と、データが読み書きされるＲＡＭ８２とを含んでいる。この制御部８にはバス８４を介して入出力各部（同図中、ブロックで示す。）が接続されており、前記ＣＰＵ８０は、ＲＯＭ８１に格納されたプログラムに従ってＲＡＭ８２に対するデータの読み書きを行いながら入出力各部の動作を一連に制御する。
【００３０】
図６は、制御部８による制御の流れを示すもので、同図中、「ＳＴ」は「ＳＴＥＰ」の略である。
同図において、プラグ２より電源が供給されると、ＳＴ１の判定が「ＹＥＳ」となり、ＣＰＵ８０は動作モードおよび温度レベルを初期状態として「オートモード」および「高」にそれぞれ設定する（ＳＴ２）。
【００３１】
つぎのＳＴ３〜５では、始動／停止スイッチ４０、レベル設定スイッチ４１、モード設定スイッチ４２の操作に待機している。この待機状態で始動／停止スイッチ４０が押されると、ＳＴ３の判定が「ＹＥＳ」となってＳＴ６へ進み、ＣＰＵ８０は現在設定されている動作モードを確認する（ＳＴ６）。当初は「オートモード」に設定されているので、ＳＴ７の判定が「ＹＥＳ」となり、「オートモード」による美顔処理が実行される（ＳＴ１２）。
【００３２】
ＳＴ３〜５の待機状態において、レベル設定スイッチ４が押されると、ＳＴ４の判定が「ＹＥＳ」となり、ＣＰＵ８０は現在設定されているレベルを確認し、温度レベルを次のレベル（例えば「高」のレベルから「中」のレベル）に切り換える（ＳＴ１６，１７）。
【００３３】
ＳＴ３〜５の待機状態において、モード選択スイッチ４２が押されると、ＳＴ５の判定が「ＹＥＳ」となり、ＣＰＵ８０は現在設定されている動作モードを確認し、動作モードを次の動作モード（例えば「オードモード」から「電位美容モード」）に切り換える（ＳＴ１８，１９）。
【００３４】
動作モードの切換え後に始動／停止スイッチ４０が押されると、ＳＴ３からＳＴ６へ進んで現在の動作モードが確認される。
もし、現在のモードが「電位美容モード」であれば、ＳＴ８の判定が「ＹＥＳ」となってＳＴ１３へ進み、「電位美容モード」による美顔処理が実行される。
【００３５】
もし、現在のモードが「温熱美容モード」であれば、ＳＴ９の判定が「ＹＥＳ」となってＳＴ１４へ進み、「温熱美容モード」による美顔処理が実行される。
もし、現在のモードが「冷却美容モード」であれば、ＳＴ１０の判定が「ＹＥＳ」となってＳＴ１５へ進み、「冷却美容モード」による美顔処理が実行される。
もし、現在のモードが「温冷美容モード」であれば、ＳＴ１０の判定が「ＮＯ」となってＳＴ１１へ進み、「温冷美容モード」による美顔処理が実行される。
【００３６】
図７は、「オートモード」による美顔処理の流れを示している。
まず、「オートモード」のスタートに際し、ＣＰＵ８０は内部のタイマを始動させたうえで、「陰電位」による美顔処理を実行するために、陰電位発生回路６が発生した負の所定の電位を電位パット６０に印加させ、第１の接触面３Ａに陰電位を作用させる（ＳＴ１２−１）。
【００３７】
つぎのＳＴ１２−２では、ＣＰＵ８０は設定時間の３分が経過したかどうかをタイマにより確認する。３分が経過すると、ＳＴ１２−２の判定が「ＹＥＳ」となり、ＣＰＵ８０は発音回路１００を動作させて報知のための所定の旋律の音を発生させるとともに（ＳＴ１２−３）、電位パット６０への電位の印加を停止して陰電位による美顔処理を終了し、つぎにＰＴＣヒーター５への通電を開始して第１の接触面３Ａに温熱を作用させる（ＳＴ１２−４）。
【００３８】
つぎのＳＴ１２−５では、ＣＰＵ８０はさらに２分が経過したかどうかをタイマにより確認しており、その判定が「ＹＥＳ」のとき、ＣＰＵ８０はペルチェ素子７を動作させて第２の接触面３Ｂを予冷し、同時に冷却ファン７１を動作させて放熱フィン７０へ送風する（ＳＴ１２−６）。
つぎのＳＴ１２−７では、ＣＰＵ８０はさらに１分が経過したかどうかをタイマにより確認しており、その判定が「ＹＥＳ」のとき、ＣＰＵ８０は発音回路１００を動作させて報知のための所定の旋律の音を発生させるとともに（ＳＴ１２−８）、ＰＴＣヒーター５への通電を停止して温熱による美顔処理を終了する（ＳＴ１２−９）。
【００３９】
つぎのＳＴ１２−１０では、ＣＰＵ８０はさらに２分が経過したかどうかをタイマにより確認しており、その判定が「ＹＥＳ」のとき、ＣＰＵ８０は発音回路１００を動作させて報知のための所定の旋律の音を発生させるとともに（ＳＴ１２−１１）、ペルチェ素子７への通電を停止して第２の接触面３Ｂの冷却を停止し、冷却による美顔処理を終了する（ＳＴ１２−１２）。
この時点では冷却ファン７１の送風はいまだ継続しており、さらに３分が経過したとき、ＳＴ１２−１３の判定が「ＹＥＳ」となり、ＣＰＵ８０は冷却ファン７１による送風動作を停止させる（ＳＴ１２−１４）。
【００４０】
【発明の効果】
この発明によれば、顔面のしわを一時的に伸ばして目立たないようにすることができ、優れた美顔効果が得られる。また、陰電位、温熱、および冷却による各美顔処理を設定時間づつ行い、しかも、設定時間が経過する度にそれを報知するので、確実かつ一定した美顔効果が得られ、過度の加温や冷却によって肌を損傷するおそれもない。
【図面の簡単な説明】
【図１】この発明の一実施例である美顔器の正面図である。
【図２】美顔器の内部構造を示す正面図である。
【図３】第１の接触面の近傍を拡大して示す断面図である。
【図４】ＰＴＣヒーターの温度特性を示す説明図である。
【図５】美顔器の電気的な構成を示すブロック図である。
【図６】制御部による制御の流れを示すフローチャートである。
【図７】制御部による制御の流れを示すフローチャートである。
【符号の説明】
１    本体部
３Ａ  第１の接触面
３Ｂ  第２の接触面
５    ＰＴＣヒーター
６    陰電位発生回路
７    ペルチェ素子
８    制御部
１０  グリップ
７１  冷却ファン
１００  発音回路
【図１】
2004267370.tif 000003
【図２】
2004267370.tif 000004
【図３】
2004267370.tif 000005
【図４】
2004267370.tif 000006
【図５】
2004267370.tif 000007
【図６】
2004267370.tif 000008
【図７】
2004267370.tif 000009
【手続補正書】
【提出日】平成16年4月19日(2004.4.19)
【手続補正１】
【補正対象書類名】明細書
【補正対象項目名】００２３
【補正方法】変更
【補正の内容】
【００２３】
前記ＰＴＣヒーター５は、セラミック半導体を主成分とするもので、温度上昇に比例して抵抗値が上昇する性質を有している。このＰＴＣヒーター５の抵抗値が上昇すると、電流が減少して発熱量が減少するので、温度が一定に保持される。前記温度センサ５１は、第１の接触面３Ａを設定温度に保持するために、ＰＴＣヒーター５の温度を監視するためのものである。
この実施例のようにヒーターとしてＰＴＣヒーター５を用いると、例えばニクロム線ヒーターを用いるのと比較して低温火傷の発生を防止できる。
【手続補正２】
【補正対象書類名】明細書
【補正対象項目名】００２４
【補正方法】削除
【補正の内容】
【手続補正３】
【補正対象書類名】明細書
【補正対象項目名】００２５
【補正方法】変更
【補正の内容】
【００２５】
前記電位出力パット６０には陰電位発生回路６（図４に示す。）で発生させた負の所定の電位が印加される。前記陰電位発生回路６は、本体部１の内部に設けられた主基板９に実装されており、陰電位発生回路６と電位出力パット６０とは導線９０により電気接続されている。なお、図２，３において、９１はＰＴＣヒーター５と主基板９とを結ぶ導線、９２は温度センサ５１と主基板９とを結ぶ導線であり、陰電位発生回路６、ＰＴＣヒーター５、および温度センサ５１は、主基板９に実装されたマイクロコンピュータより成る制御部８に接続されている。


【手続補正４】
【補正対象書類名】明細書
【補正対象項目名】００２９
【補正方法】変更
【補正の内容】
【００２９】
図４は、上記した構成の美顔器の動作を制御するための制御部８の構成と制御部８に電気接続された入出力各部とを示している。
図示例の制御部８は、マイクロコンピュータにより構成されており、制御の主体であるＣＰＵ８０と、プログラムや固定データが格納されるＲＯＭ８１と、データが読み書きされるＲＡＭ８２とを含んでいる。この制御部８にはバス８４を介して入出力各部（同図中、ブロックで示す。）が接続されており、前記ＣＰＵ８０は、ＲＯＭ８１に格納されたプログラムに従ってＲＡＭ８２に対するデータの読み書きを行いながら入出力各部の動作を一連に制御する。


【手続補正５】
【補正対象書類名】明細書
【補正対象項目名】００３０
【補正方法】変更
【補正の内容】
【００３０】
図５は、制御部８による制御の流れを示すもので、同図中、「ＳＴ」は「ＳＴＥＰ」の略である。
同図において、プラグ２より電源が供給されると、ＳＴ１の判定が「ＹＥＳ」となり、ＣＰＵ８０は動作モードおよび温度レベルを初期状態として「オートモード」および「高」にそれぞれ設定する（ＳＴ２）。


【手続補正６】
【補正対象書類名】明細書
【補正対象項目名】００３６
【補正方法】変更
【補正の内容】
【００３６】
図６は、「オートモード」による美顔処理の流れを示している。
まず、「オートモード」のスタートに際し、ＣＰＵ８０は内部のタイマを始動させたうえで、「陰電位」による美顔処理を実行するために、陰電位発生回路６が発生した負の所定の電位を電位出力パット６０に印加させ、第１の接触面３Ａに陰電位を作用させる（ＳＴ１２−１）。


【手続補正７】
【補正対象書類名】明細書
【補正対象項目名】００３７
【補正方法】変更
【補正の内容】
【００３７】
つぎのＳＴ１２−２では、ＣＰＵ８０は設定時間の３分が経過したかどうかをタイマにより確認する。３分が経過すると、ＳＴ１２−２の判定が「ＹＥＳ」となり、ＣＰＵ８０は発音回路１００を動作させて報知のための所定の旋律の音を発生させるとともに（ＳＴ１２−３）、電位出力パット６０への電位の印加を停止して陰電位による美顔処理を終了し、つぎにＰＴＣヒーター５への通電を開始して第１の接触面３Ａに温熱を作用させる（ＳＴ１２−４）。


【手続補正８】
【補正対象書類名】明細書
【補正対象項目名】図４
【補正方法】変更
【補正の内容】
【図４】美顔器の電気的な構成を示すブロック図である。
【手続補正９】
【補正対象書類名】明細書
【補正対象項目名】図５
【補正方法】変更
【補正の内容】
【図５】制御部による制御の流れを示すフローチャートである。
【手続補正１０】
【補正対象書類名】明細書
【補正対象項目名】図７
【補正方法】削除
【補正の内容】
【手続補正１１】
【補正対象書類名】図面
【補正対象項目名】図４
【補正方法】変更
【補正の内容】
【図４】
2004267370.tif 000010
【手続補正１２】
【補正対象書類名】図面
【補正対象項目名】図５
【補正方法】変更
【補正の内容】
【図５】
2004267370.tif 000011
【手続補正１３】
【補正対象書類名】図面
【補正対象項目名】図６
【補正方法】変更
【補正の内容】
【図６】
2004267370.tif 000012
【手続補正１４】
【補正対象書類名】図面
【補正対象項目名】図７
【補正方法】削除
【補正の内容】